(57)【特許請求の範囲】
【請求項１】
器具本体と、この器具本体に配置された光源と、この光源に端面を臨ませて前面より発光させる導光板と、この導光板の前面に重なる透明なカバーパネルと、このカバーパネル側に係止部を有して前記カバーパネルおよび前記導光板を前記器具本体に固定する導光板固定部材と、一端が前記導光板の背面側で前記器具本体に固定されて前記光源を覆い前記光源の反射光を前記導光板の前記端面に入射させる柔軟性の反射シートと、この反射シートの他端に設けられて前記係止部に係脱可能に係止する固定具とを備え、前記固定具を前記係止部に係止したとき前記固定具の反射シート側端部は前記カバーパネルの前記光源側の端面を覆う照明装置。
【請求項２】
前記係止部は突起状であり、前記固定具は前記係止部に被さって係止する弾性の略逆Ｕ字形をなし、前記係止部の側面において前記係止部および前記固定具の一方に位置決め突起を形成し、他方に前記位置決め突起が嵌合する凹部を形成した請求項１記載の照明装置。
【請求項３】
器具本体と、この器具本体に配置された光源と、この光源に端面を臨ませて前面より発光させる導光板と、この導光板の前面に重なる透明なカバーパネルと、このカバーパネル側に係止部を有して前記カバーパネルおよび前記導光板を前記器具本体に固定する導光板固定部材と、前記光源を覆って反射光を前記導光板の前記端面に入射させる柔軟性の反射シートと、前記反射シートを内面に配設し一端が前記導光板の背面側で前記器具本体に固定され他端に前記係止部に係脱可能に係止する固定部を有する弾性のある保持部材とを備え、前記固定部を前記係止部に係止したとき前記固定部の基端は前記カバーパネルの前記光源側の端面を覆う照明装置。
【請求項４】
前記係止部は位置決め突起を有する突起状であり、前記固定部はＬ字形に折曲されて前記位置決め突起に嵌合する孔を形成し、前記器具本体は前記固定部の前記孔が前記位置決め突起に嵌合した状態で前記固定部を前記係止部に押さえ固定するカバーを有する請求項３記載の照明装置。
【請求項５】
前記反射シートの外面に前記反射シートとともに変形可能な補強部材を設けた請求項１記載の照明装置。
【請求項６】
前記補強部材はアルミシートであり、前記反射シートの略全幅にわたって設けた請求項５記載の照明装置。
【発明の詳細な説明】
【０００１】
【発明の属する技術分野】
本発明は、光源からの光を導光板の周面に設定した入射端面より導入し、導光板の前面を発光面とすることによって、点状ないし線状の光源を用いて面状に発光させるようにした導光板を用いた照明装置に関するものである。
【０００２】
【従来の技術】
従来より、液晶表示器のバックライト、ディスプレイスタンド、表示サインのように表示対象物の背面側に用いる面光源として、図９から図１１に示すように直管型の線状の光源例えばランプ１０１と導光板１０４とを組み合わせている照明装置がある。１００は器具本体、１０２は柔軟性のある反射シート、１０３はランプソケット、１０５はカバーパネル、１０６は導光板押え、１０７は導光板押え１０６に取付ねじ１０７ａで取付けられたカバー、１０８は安定器、１０９は飾りねじである。
【０００３】
反射シート１０２は、光源であるランプ１０１の周囲に配置し反射板としている。その際、反射シート１０２はランプ１０１を覆う形で器具に接着されるか、他の部品で押え込んでいるだけの構造であった。
【０００４】
図１２に示す他の従来例は、反射シート１０２に代えて、金属製の剛性のある反射板１１０を用いた例である。
【０００５】
【発明が解決しようとする課題】
図１１の従来例は、反射シート１０２の両端とも接着する場合、ランプ交換ができない。これに対し、一端である器具本体１００側を接着し、他端を導光板１０４とカバーパネル１０５の間に挟み込む場合、ランプ交換することができるが、その後反射シート１０２を再セットするとき、位置がずれたり、反射シート１０２が変形したり、汚れたりする可能性が大きく、また交換作業自体非常にしづらい。したがって、このような構造のものはランプ交換の作業性が犠牲にされているか、ランプ交換そのものができない構造であった。
【０００６】
図１２の他の従来例は、ランプ交換が可能であるが、ランプ交換のために導光板１０４に臨む開口部が大きくなっており、導光板１０４への入光率が悪く、反射板１１０の形状が効率的ではなく、反射板脱着のスペースを必要とするため器具自体も大きくなっていた。
【０００７】
したがって、この発明の目的は、反射シートを用い、ランプ交換可能で作業性のよい照明装置を提供することである。
【０００８】
【課題を解決するための手段】
請求項１記載の照明装置は、器具本体と、この器具本体に配置された光源と、この光源に端面を臨ませて前面より発光させる導光板と、この導光板の前面に重なる透明なカバーパネルと、このカバーパネル側に係止部を有して前記カバーパネルおよび前記導光板を前記器具本体に固定する導光板固定部材と、一端が前記導光板の背面側で前記器具本体に固定されて前記光源を覆い前記光源の反射光を前記導光板の前記端面に入射させる柔軟性の反射シートと、この反射シートの他端に設けられて前記係止部に係脱可能に係止する固定具とを備え、前記固定具を前記係止部に係止したとき前記固定具の反射シート側端部は前記カバーパネルの前記光源側の端面を覆うものである。
【０００９】
請求項１記載の照明装置によれば、反射シートを位置決め固定する固定具を設けたため、反射シートを用いた場合の高効率、省スペース性を生かしたままランプ交換が行えるようになる。また、ランプ交換が可能になることによって−般的な寿命の蛍光ランプなどが光源として使用可能となるので、照明装置のコストを下げることが出来る。またランプの種類も豊富なので器具サイズなどのバリエーションも増やすことができる。
とくに固定具が前記反射シートの略全幅に対応する長さを有する場合、固定具により反射シートに剛性を持たせることによってランプ交換後再び反射シートを再挿入する時に反射シートを変形させることなく、しかも容易に再挿入することができる。これによって反射シートの材質や厚さによらず意図した形状を保つことが出来る。
【００１０】
請求項２記載の照明装置は、請求項１において、前記係止部は突起状であり、前記固定具は前記係止部に被さって係止する弾性の略逆Ｕ字形をなし、前記係止部の側面において前記係止部および前記固定具の一方に位置決め突起を形成し、他方に前記位置決め突起が嵌合する凹部を形成したものである。
【００１１】
請求項２記載の照明装置によれば、請求項１と同様な効果がある。
【００１２】
請求項３記載の照明装置は、器具本体と、この器具本体に配置された光源と、この光源に端面を臨ませて前面より発光させる導光板と、この導光板の前面に重なる透明なカバーパネルと、このカバーパネル側に係止部を有して前記カバーパネルおよび前記導光板を前記器具本体に固定する導光板固定部材と、前記光源を覆って反射光を前記導光板の前記端面に入射させる柔軟性の反射シートと、前記反射シートを内面に配設し一端が前記導光板の背面側で前記器具本体に固定され他端に前記係止部に係脱可能に係止する固定部を有する弾性のある保持部材とを備え、前記固定部を前記係止部に係止したとき前記固定部の基端は前記カバーパネルの前記光源側の端面を覆うものである。
【００１３】
請求項３記載の照明装置によれば、請求項１と同様な効果がある。
【００１４】
請求項４記載の照明装置は、請求項３において、前記係止部は位置決め突起を有する突起状であり、前記固定部はＬ字形に折曲されて前記位置決め突起に嵌合する孔を形成し、前記器具本体は前記固定部の前記孔が前記位置決め突起に嵌合した状態で前記固定部を前記係止部に押さえ固定するカバーを有するものである。
【００１５】
請求項４記載の照明装置によれば、請求項１と同様な効果がある。
【００１６】
請求項５記載の照明装置は、請求項１において、前記反射シートの外面に前記反射シートとともに変形可能な補強部材を設けたものである。
【００１７】
請求項５記載の照明装置によれば、請求項１と同様な効果のほか、反射シート自体に剛性及び弾性が足らず、意図した反射板形状を維持できない場合に反射シートの剛性及び弾性を補うことができる。
【００１８】
請求項６記載の照明装置は、請求項５において、前記補強部材がアルミシートであり、前記反射シートの略全幅にわたって設けたものである。
【００１９】
請求項６記載の照明装置によれば、請求項５と同様な効果のほか、補強部材の材質を光を反射するものにすれば、反射シートを透過する光線を再び反射するので器具の効率が上がる。
【００２４】
【発明の実施の形態】
この発明の第１の実施の形態を図１および図２により説明する。すなわち、図１はこの発明の第１の実施の形態の導光式照明装置の断面図である。１は例えば蛍光ランプを用いた光源、２は光源１に端面２ａを臨ませて前面２ｂより発光させる導光板、３は光源１を覆う柔軟性の反射シート、４は反射シート３を位置決め固定する固定具である。１２は安定器である。
【００２５】
光源１はランプソケット５に装着され、ランプソケット５は器具本体６に保持されている。導光板２は前面に透明なカバーパネル８を配置し、カバーパネル８とともに導光板固定部材例えば導光板固定金具７により器具本体６にねじ止めされている。光源１および導光板２の端部がカバー９で覆われ、カバー９が器具本体６に固定されている。こうして、光源１を覆う器具本体６の一面の開ロから、器具本体６内に導光板２の端面２ａを導入して光源１に臨ませている。
【００２６】
上記のように導光式照明装置の反射板には反射シート３が用いられている。この反射シート３は光源１の光を導光板２の端面２ａへ効率よく入光させるよう反射シート３からの光の射出部３ａが絞り込まれている。そして、反射シート３の一端は器具本体６に接着され、他端は金具製の固定具４に接着されている。固定具４は弾性材料により略逆Ｕ字形に形成され、導光板固定金具７に設けた突起状の係止部１１に被さり、その摩擦力で保持される。さらに係止部１１に凹部１３を形成し、凹部１３に嵌合するだぼを用いた位置決め突起１０を固定具４に形成し、凹部１３と固定具４の嵌合によっても固定具４は導光板固定金具７によって定位置に保持されている。なお凹部１３を固定具４に設け、突起１０を係止部１１に設けてもよい。
【００２７】
ランプ交換の際にはカバー９を外し、その後固定具４を導光板固定金具７より取り外す。その時の状態が図２である。ランプ交換後、固定具４を導光板固定金具７へ被せれば、元の図１の状態に戻る。
【００２８】
この実施の形態によれば、反射シート３を用い、ランプ交換可能でランプ交換の作業性のよい照明装置を提供することができる。
【００２９】
この発明の第２の実施の形態を図３から図６により説明する。すなわち、固定具４は弾性材料で形成した保持部材１４を有する。固定具４の保持部材１４は反射シート３を設計者の意図通りに保持できるよう反射シート３の略全幅に対応する長さに成形されている。また、この保持部材１４には一側両端に器具本体６への固定部１５を有し、ランプ交換時に着脱し、かつ元の位置へ位置決め固定する固定部１６をあらかじめ設けてある。１７はカバー９を導光板固定金具７に取付けるねじ等の取付具、１８は導光板２とカバーパネル８との間の拡散シートである。
【００３０】
図５は反射シート３と保持部材１４の詳細図である。保持部材１４は反射シート３と外形が同一形状の断面Ｕ字形でほぼ同寸であるが、柔軟性をもたせるため背抜き１４ａを複数形成している。反射シート３は成形された保持部材１４に反射シート３自身の弾性ではめ込み固定される。固定部１５はその孔を通して器具本体６にねじ止めされる。固定部１６はＬ字形に折曲され、導光板固定金具７の係止部１１の上面と側面に摩擦係合するとともに、上面に設けた位置決め突起１９に嵌合する孔を先端に形成し、固定部１６の孔を位置決め突起１９に嵌合した状態でカバー９により押え固定されている。
【００３１】
図４はカバー９を外し、固定部１６を係止部１１から外した状態であり、保持部材１４の柔軟な弾性により反射シート３とともに開き、ランプ交換できる。
【００３２】
図６は変形の実施の形態であり、高反射で弾性のある材料で反射シート３を成形したもので、固定具４と反射シート３が同一材料で一体成形されている。固定部１６′は固定部１６のようにＬ字形に折曲されていないが、その孔が位置決め突起１９に嵌合して取付けられ、カバー９で押えられる。
【００３３】
ランプ交換時に固定部１６を外し、反射シート３を撓ませて開くことにより反射シート３を外すことなくランプ交換が可能となる。
【００３４】
この発明の第３の実施の形態を図７および図８により説明する。すなわち、第１の実施の形態において、反射シート３に剛性が足りない場合を考慮したものである。図７の状態は反射シート３に剛性が足りない場合の状態を示している。反射シート３の材質及び厚みによってはこの図のように設計者の意図した反射板形状を保持できない場合がある。そのような場合には図８のように反射シート３の外面に剛性を補う補強部材２０を貼付する。それによって反射シート３の形状を保持することができる。また、補強部材２０の材質を光を反射するものにすれば、反射シート３の背面へ透過してしまう光線をこの補強部材２０が反射するので導光板２へ入光する光が増え、器具の効率が上がる。
なお、補強部材はアルミシートであり、反射シートの略全幅にわたって設けている。
【００３５】
【発明の効果】
請求項１記載の照明装置によれば、反射シートを位置決め固定する固定具を設けたため、反射シートを用いた場合の高効率、省スペース性を生かしたままランプ交換が行えるようになる。また、ランプ交換が可能になることによって−般的な寿命の蛍光ランプなどが光源として使用可能となるので、照明装置のコストを下げることが出来る。またランプの種類も豊富なので器具サイズなどのバリエーションも増やすことができる。
とくに固定具が前記反射シートの略全幅に対応する長さを有する場合、固定具により反射シートに剛性を持たせることによってランプ交換後再び反射シートを再挿入する時に反射シートを変形させることなく、しかも容易に再挿入することができる。これによって反射シートの材質や厚さによらず意図した形状を保つことが出来る。
【００３６】
請求項２記載の照明装置によれば、請求項１と同様な効果がある。
【００３７】
請求項３記載の照明装置によれば、請求項１と同様な効果がある。
【００３８】
請求項４の照明装置によれば、請求項１と同様な効果がある。
請求項５記載の照明装置によれば、請求項１と同様な効果のほか、反射シート自体に剛性及び弾性が足らず、意図した反射板形状を維持できない場合に反射シートの剛性及び弾性を補うことができる。
請求項６記載の照明装置によれば、請求項５と同様な効果のほか、補強部材の材質を光を反射するものにすれば、反射シートを透過する光線を再び反射するので器具の効率が上がる。
【図面の簡単な説明】
【図１】この発明の第１の実施の形態の要部断面図である。
【図２】カバーを外し反射シートを開いた状態の要部断面図である。
【図３】この発明の第２の実施の形態の要部断面図である。
【図４】そのカバーを外し反射シートを開いた状態の要部断面図である。
【図５】反射シートと保持部材の斜視図である。
【図６】変形の実施の形態の反射シートの斜視図である。
【図７】この発明の第３の実施の形態の補強部材を付けない場合の要部断面図である。
【図８】補強部材を付けた場合の要部断面図である。
【図９】（ａ）は従来例の断面図、（ｂ）はその側面図である。
【図１０】照明装置のカバーを破断した正面図である。
【図１１】従来例の要部断面図である。
【図１２】別の従来例の要部断面図である。
【符号の説明】
１    光源
２    導光板
３    反射シート
４    固定具
６    器具本体
１４    保持部材
１５    固定部
１６    固定部
【図１】
0004132731.tif 000002
【図２】
0004132731.tif 000003
【図３】
0004132731.tif 000004
【図４】
0004132731.tif 000005
【図５】
0004132731.tif 000006
【図６】
0004132731.tif 000007
【図７】
0004132731.tif 000008
【図８】
0004132731.tif 000009
【図９】
0004132731.tif 000010
【図１０】
0004132731.tif 000011
【図１１】
0004132731.tif 000012
【図１２】
0004132731.tif 000013